【手続補正書】
【提出日】平成23年11月9日(2011.11.9)
【手続補正１】
【補正対象書類名】特許請求の範囲
【補正対象項目名】請求項１
【補正方法】変更
【補正の内容】
【請求項１】
赤色の光を発光するＲ光源と、緑色の光を発光するＧ光源と、青色の光を発光するＢ光源とから成る第１光源と、
前記第１光源の前記Ｒ光源、前記Ｇ光源及び前記Ｂ光源の各々の出力側にそれぞれ配設される第１乃至第３のコリメータレンズより成る第１レンズ群と、
前記第１光源の前記Ｒ光源、前記Ｇ光源及び前記Ｂ光源とそれぞれ同様の光学特性を有するＲ光源、Ｇ光源及びＢ光源から成る第２光源と、
前記第２光源の前記Ｒ光源、前記Ｇ光源及び前記Ｂ光源の各々の出力側にそれぞれ配設される第４乃至第６のコリメータレンズより成る第２レンズ群と、
互いに対向する前記第１コリメータレンズと前記第４コリメータレンズとの間に配設されており、赤色の光を反射する一方、その他の色の光を透過する光学特性を有する第１ダイクロイックミラーと、
前記第１ダイクロイックミラーを回転させ得る第１モータと、
互いに対向する前記第２コリメータレンズと前記第５コリメータレンズとの間に配設されており、緑色の光を反射する一方、その他の色の光を透過する光学特性を有する第２ダイクロイックミラーと、
前記第２ダイクロイックミラーを回転させ得る第２モータと、
互いに対向する前記第３コリメータレンズと前記第６コリメータレンズとの間に配設されており、青色の光を反射する一方、その他の色の光を透過する光学特性を有する第３ダイクロイックミラーと、
前記第３ダイクロイックミラーを回転させ得る第３モータと、
前記第１ダイクロイックミラーで反射された赤色の第１光線束と、前記第２ダイクロイックミラーで反射された緑色の第２光線束と、前記第３ダイクロイックミラーで反射された青色の第３光線束とが合成されて成る白色光線束を集光すると共に、前記第１光線束の光軸、前記第２光線束の光軸及び前記第３光線束の光軸の何れとも合わさった光軸を有する集光レンズと、
前記集光レンズより出力される前記白色光線束より、前記第１光線束の輝度、前記第２光線束の輝度及び前記第３光線束の輝度を、それぞれ電流値として検出する光センサーと、
前記光センサーの各光線束に関する出力値と閾値とを順次に比較して、前記光センサーの出力値が前記閾値の所定率以下となる場合には当該出力値に対応する光線束を発光する光源がその寿命に達していると判断して、寿命に達していると判断された光源をＯＦＦ状態に設定すると共に、寿命に達していると判断された光源に対応するダイクロイックミラーを回転駆動するモータに、該当するダイクロイックミラーの回転を指令する寿命検出部とを備えており、
前記第１光源の前記Ｒ光源、前記Ｇ光源及び前記Ｂ光源が時分割で駆動されて発光している場合に、前記寿命検出部が、前記第１光源の前記Ｒ光源、前記Ｇ光源及び前記Ｂ光源の内で寿命に達している光源があると判断した際には、寿命に達していると判断された光源をＯＦＦ状態に設定し且つ前記第２光源の前記Ｒ光源、前記Ｇ光源及び前記Ｂ光源の内で当該寿命に達していると判断された光源が発光する光と同色の光を発光する光源をＯＮ状態に設定すると共に、前記第１乃至第３モータの内で当該寿命に達していると判断された光源に対応するダイクロイックミラーを回転駆動するモータに回転指令を発し、
前記回転指令を受けたモータは、前記第１乃至第３ダイクロイックミラーの内で当該寿命に達していると判断された光源に対応するダイクロイックミラーを、当該ダイクロイックミラーで反射された光線束の光軸が前記集光レンズの前記光軸と再び合わさる様に回転させることを特徴とする、
映像表示装置の光源切り替え装置。
【手続補正２】
【補正対象書類名】明細書
【補正対象項目名】０００３
【補正方法】変更
【補正の内容】
【０００３】
この改善策として、高圧水銀ランプを用いた監視用映像表示装置に於いて、２つの高圧水銀ランプを動作していた一方の高圧水銀ランプの寿命時に交互に切り替えることで、全体的に高圧水銀ランプの寿命を延している（例えば、特許文献１参照。）。
【手続補正３】
【補正対象書類名】明細書
【補正対象項目名】０００６
【補正方法】変更
【補正の内容】
【０００６】
しかしながら、２４時間の連続運転を必要とし且つ１０年以上の稼働時間を必要とする監視分野に於いては、先行技術によっても、依然として、人手による光源の交換作業は不可欠であり、そのため、当該交換作業により監視が一時的に中断してしまうと言う問題点は解決されるに至っていなかった。
【手続補正４】
【補正対象書類名】明細書
【補正対象項目名】００１０
【補正方法】変更
【補正の内容】
【００１０】
本発明の主題に係る映像表示装置の光源切り替え装置は、赤色の光を発光するＲ光源と、緑色の光を発光するＧ光源と、青色の光を発光するＢ光源とから成る第１光源と、前記第１光源の前記Ｒ光源、前記Ｇ光源及び前記Ｂ光源の各々の出力側にそれぞれ配設される第１乃至第３のコリメータレンズより成る第１レンズ群と、前記第１光源の前記Ｒ光源、前記Ｇ光源及び前記Ｂ光源とそれぞれ同様の光学特性を有するＲ光源、Ｇ光源及びＢ光源から成る第２光源と、前記第２光源の前記Ｒ光源、前記Ｇ光源及び前記Ｂ光源の各々の出力側にそれぞれ配設される第４乃至第６のコリメータレンズより成る第２レンズ群と、互いに対向する前記第１コリメータレンズと前記第４コリメータレンズとの間に配設されており、赤色の光を反射する一方、その他の色の光を透過する光学特性を有する第１ダイクロイックミラーと、前記第１ダイクロイックミラーを回転させ得る第１モータと、互いに対向する前記第２コリメータレンズと前記第５コリメータレンズとの間に配設されており、緑色の光を反射する一方、その他の色の光を透過する光学特性を有する第２ダイクロイックミラーと、前記第２ダイクロイックミラーを回転させ得る第２モータと、互いに対向する前記第３コリメータレンズと前記第６コリメータレンズとの間に配設されており、青色の光を反射する一方、その他の色の光を透過する光学特性を有する第３ダイクロイックミラーと、前記第３ダイクロイックミラーを回転させ得る第３モータと、前記第１ダイクロイックミラーで反射された赤色の第１光線束と、前記第２ダイクロイックミラーで反射された緑色の第２光線束と、前記第３ダイクロイックミラーで反射された青色の第３光線束とが合成されて成る白色光線束を集光すると共に、前記第１光線束の光軸、前記第２光線束の光軸及び前記第３光線束の光軸の何れとも合わさった光軸を有する集光レンズと、前記集光レンズより出力される前記白色光線束より、前記第１光線束の輝度、前記第２光線束の輝度及び前記第３光線束の輝度を、それぞれ電流値として検出する光センサーと、前記光センサーの各光線束に関する出力値と閾値とを順次に比較して、前記光センサーの出力値が前記閾値の所定率以下となる場合には当該出力値に対応する光線束を発光する光源がその寿命に達していると判断して、寿命に達していると判断された光源をＯＦＦ状態に設定すると共に、寿命に達していると判断された光源に対応するダイクロイックミラーを回転駆動するモータに、該当するダイクロイックミラーの回転を指令する寿命検出部とを備えており、前記第１光源の前記Ｒ光源、前記Ｇ光源及び前記Ｂ光源が時分割で駆動されて発光している場合に、前記寿命検出部が、前記第１光源の前記Ｒ光源、前記Ｇ光源及び前記Ｂ光源の内で寿命に達している光源があると判断した際には、寿命に達していると判断された光源をＯＦＦ状態に設定し且つ前記第２光源の前記Ｒ光源、前記Ｇ光源及び前記Ｂ光源の内で当該寿命に達していると判断された光源が発光する光と同色の光を発光する光源をＯＮ状態に設定すると共に、前記第１乃至第３モータの内で当該寿命に達していると判断された光源に対応するダイクロイックミラーを回転駆動するモータに回転指令を発し、前記回転指令を受けたモータは、前記第１乃至第３ダイクロイックミラーの内で当該寿命に達していると判断された光源に対応するダイクロイックミラーを、当該ダイクロイックミラーで反射された光線束の光軸が前記集光レンズの前記光軸と再び合わさる様に回転させることを特徴とする。